【事件の表示】
　特願２０００−１３３３８２「遊技機」拒絶査定不服審判事件〔平成１３年１１月１３日出願公開、特開２００１−３１４５５０〕について、次のとおり審決する。
【結　論】
　本件審判の請求は、成り立たない。
【理　由】
第１　手続の経緯
　本願は平成１２年５月２日の出願であって、平成１７年１１月３０日付けで拒絶の査定がされたため、これを不服として平成１８年１月５日付けで本件審判請求がされるとともに、同年２月２日付けで明細書についての手続補正（以下「本件補正」という。）がされたものである。
　
第２　補正の却下の決定
［補正の却下の決定の結論］
　平成１８年２月２日付けの手続補正を却下する。
　
［理由］
１．補正事項及び補正目的
　本件補正は特許請求の範囲の補正を含んでおり、請求項１において、「可変表示手段」を「複数の可変表示手段」と補正（３箇所）するとともに、「前記表示内容選択手段による遊技者の選択に基づいて前記別表示手段に表示される内容は、スタート操作により発生した信号を検出した場合に表示される予兆表示、前記停止ボタンの操作により発生した信号を検出した場合に表示される可変表示手段回転中表示、前記複数の可変表示手段の全てが停止したことにより発生した信号を検出した場合に表示される全停止後表示を含む」との事項を追加するものである。
　前者の補正は特許請求の範囲の減縮を目的とするものと認める。
　後者の補正については、補正後請求項１に係る発明は、「スタート操作により発生した信号」、「停止ボタンの操作により発生した信号」及び「複数の可変表示手段の全てが停止したことにより発生した信号」を検出すること並びにこれら信号の検出に基づき各種表示を行うこととなるが、それらは「別表示手段」の表示制御を司る手段（表示制御手段）の限定である。ところが、補正前請求項１には表示制御手段が発明特定事項として記載されていない。
　そのため、本件補正が特許請求の範囲の減縮（他の補正目的に適合しないことは明らかである。）に該当するかどうか疑義がある（適合しなければ、平成１８年改正前特許法１７条の２第４項違反として却下される。）ものの、別表示手段を備えた遊技機が表示制御手段をも備えることは自明であり、その自明な手段を補正前において省略したものと理解し、特許請求の範囲の減縮に該当するものと認める。
　以上の理由により、本件補正後の請求項１に係る発明（以下「補正発明」という。）については、特許出願の際独立して特許を受けることができるかどうか検討する。
　
２．補正発明の認定
　補正発明は、本件補正により補正された明細書の特許請求の範囲【請求項１】に記載された事項によって特定される次のとおりのものと認める。
「スタート操作により信号を発生する手段と、
　前記スタート操作に応じて複数の図柄を可変表示する複数の可変表示手段と、
　前記可変表示を停止するための停止ボタンの操作により信号を発生する手段と、
　前記複数の可変表示手段の可変表示開始から停止までのゲーム毎に所定の時点で決定される内部当選役に基づいて、可変表示を停止制御する停止制御手段と、
　前記複数の可変表示手段とは別の表示を行う別表示手段とを備えた遊技機において、
　前記スタート操作により発生した信号及び前記停止ボタンの操作により発生した信号の少なくともいずれか１つを検出した場合に前記別表示手段に表示される内容は、遊技者の選択により変更可能に構成され、その選択するための表示内容選択手段を設け、
　前記表示内容選択手段による遊技者の選択に基づいて前記別表示手段に表示される内容は、スタート操作により発生した信号を検出した場合に表示される予兆表示、前記停止ボタンの操作により発生した信号を検出した場合に表示される可変表示手段回転中表示、前記複数の可変表示手段の全てが停止したことにより発生した信号を検出した場合に表示される全停止後表示を含むことを特徴とする遊技機。」
　
３．引用刊行物の記載事項
　原査定の拒絶の理由に引用された特開２０００−５１４３６号公報（以下「引用例１」という。）には、以下のア〜セの記載が図示とともにある。
　ア．「本発明は、スロットマシンに関し、詳しくは、表示状態が変化可能な可変表示装置を有し、該可変表示装置の表示結果が導出表示されることにより１ゲームが終了し、該可変表示装置の表示結果が所定の表示態様となった場合に所定の入賞が発生するスロットマシンに関する。」（段落【０００１】）
　イ．「スロットマシン１の前面側の所定箇所には表示窓７１が設けられている。この表示窓７１の内側には、可変表示装置７０（図２参照）によって可変表示される図柄等の識別情報を遊技者に視認させるための左可変表示部５Ｌ、中可変表示部５Ｃ、右可変表示部５Ｒが設けられている。」（段落【００１６】）
　ウ．「可変表示部５Ｌ、５Ｃ、５Ｒの周囲には、各種表示ランプや表示器が設けられている。たとえば、画像表示部１７７ａは，遊技状態や遊技者のコイン獲得状況等について所定のキャラクタを交える等して表示し、遊技の利便性を高めるとともに遊技の演出効果を高めることの可能な表示部であり」（段落【００１７】）
　エ．「スタートランプ７２が点灯した状態でスタートレバー１２を操作すれば、可変表示装置７０が可変開始されて各可変表示部５Ｌ、５Ｃ、５Ｒにおいて複数種類の図柄が可変表示される。可変表示の開始から所定時間が経過すれば、各操作有効ランプ１１Ｌ、１１Ｃ、１１Ｒと操作有効ランプ１４の表示色が所定の操作無効色から操作有効色に変化する。これにより、左停止ボタン９Ｌ、中停止ボタン９Ｃ、右停止ボタン９Ｒの押圧操作が有効な状態になったことが遊技者に報知される。そして、遊技者が各停止ボタン９Ｌ、９Ｃ、９Ｒのうち、いずれかを押圧操作すれば、対応する停止ボタンの操作有効ランプ１１Ｌ、１１Ｃ、１１Ｒの表示色が所定の操作有効色から操作無効色に変化するとともに、やがて、対応する可変表示部の可変表示が停止される。」（段落【００２０】）
　オ．「左可変表示部５Ｌ、中可変表示部５Ｃの可変表示が終了した段階で両可変表示部で形成される有効ライン上に同一の役図柄が揃って停止表示されている場合には、リーチが成立する。リーチが成立した場合には、画像表示部１７７ａによる画像やスピーカ２８による報知音などによってその旨が報知される。」（段落【００３２】）
　カ．「ランダムＲカウンタは、ビッグボーナス、レギュラーボーナス、リプレイゲーム、および小役などすべての入賞を発生させるか否かを決定するために使用されるランダムカウンタである。このランダムＲカウンタは、「０〜１６３８３」の範囲で各値を繰返し更新し、乱数を発生する。」（段落【００７６】）
　キ．「図９および図１０は、“通常ゲーム”において、各種小役入賞あるいはリプレイゲームが発生する確率を示した図である。」（段落【００９１】）
　ク．「ＳＢ８の後、ＳＢ９に進み、ビッグボーナス当選フラグあるいはボーナス当選フラグが既に設定されているか否かの判断が行なわれ、設定されていない場合にはＳＢ１５に進み、読出されたランダムＲと一致するビッグボーナス当選判定値があるか否かが判断される。ランダムＲと一致するビッグボーナス当選判定値がある場合にはＳＢ２１に進み、ビッグボーナス当選フラグが設定される。次に、ＳＢ２１ａに進み、ビッグボーナスゲーム当選フラグが設定されたことが画像表示部１７７ａにより報知される（図２９（ｂ）参照）。その後、ＳＢ２０に進む。一方、ＳＢ１５でＮＯと判断された場合にはＳＢ１６に進み、読出されたランダムＲと一致するボーナス当選判定値があるか否かが判断される。ランダムＲと一致するボーナス当選判定値がある場合にはＳＢ２２に進み、ボーナス当選フラグが設定された後にＳＢ２０に進む。ＳＢ１６でＮＯと判断された場合にはＳＢ１７に進み、読出されたランダムＲと一致する小役当選判定値があるか否かが判断される。ランダムＲと一致する小役当選判定値がある場合にはＳＢ２３に進み、小役当選フラグが設定された後にＳＢ２０に進む。ＳＢ１７でＮＯと判断された場合にはＳＢ１８に進み、読出されたランダムＲと一致するリプレイ当選判定値があるか否かが判断される。ランダムＲと一致するリプレイ当選判定値がある場合にはＳＢ１９に進み、リプレイ当選フラグが設定された後にＳＢ２０に進む。一方、ランダムＲと一致するリプレイ当選判定値がない場合には、ＳＢ１８によりＮＯの判断がなされてＳＢ２０に進む。」（段落【０１２６】）
　ケ．「各当選フラグが設定されると、リール引込み制御が行なわれることによって目押しに不慣れな遊技者でも比較的容易に各当選フラグに応じた可変表示結果を導出させることが可能になる。」（段落【０１２７】）
　コ．「ビッグボーナス当選フラグまたはボーナス当選フラグが設定されている場合には、３０％の確率で各リールが同時に始動し、５０％の確率で左リール６Ｌ、中リール６Ｃ、右リール６Ｒの順で始動し、２０％の確率で右リール６Ｒ、中リール６Ｃ、左リール６Ｌの順で始動する。一方、ビッグボーナス当選フラグおよびボーナス当選フラグが共に設定されていない場合には、９３％の確率で各リールが同時に始動し、２％の確率で左リール６Ｌ、中リール６Ｃ、右リール６Ｒの順で始動し、５％の確率で右リール６Ｒ、中リール６Ｃ、左リール６Ｌの順で始動する。」（段落【０１３２】）
　サ．「ゲームが開始された際に左リール６Ｌ、中リール６Ｃ、右リール６Ｒの順で始動した場合には、ビッグボーナス当選フラグまたはボーナス当選フラグが設定されている可能性が高い。これにより、ビッグボーナス当選フラグまたはボーナス当選フラグが設定されている可能性の高いことを遊技者に報知できる。」（段落【０１３３】）
　シ．「遊技者が左停止ボタン９Ｌを押圧操作すればＳＢ３８によりＹＥＳの判断がなされてＳＢ３９に進み、左リール停止フラグが設定される。次に遊技者が中停止ボタン９Ｃを押圧操作すればＳＢ４０によりＹＥＳの判断がなされてＳＢ４１に進み、中リール停止フラグが設定される。遊技者が右停止ボタン９Ｒを押圧操作すればＳＢ４２によりＹＥＳの判断がなされてＳＢ４３に進み、右リール停止フラグが設定される。」（段落【０１３８】）
　ス．「図２９は、ＣＲＴ表示器１７７の画像表示部１７７ａに表示される画像例を示す図である。図２９（ａ）〜図２９（ｄ）に示すように、画像表示部１７７ａには刻々と変化する遊技状況を明確に遊技者自身に報知可能であるとともに他の遊技者へのアピール度合いの高い演出効果満点の様々な画像が表示される。」（段落【０１８９】）
　セ．「スロットマシン内部の制御によってビッグボーナス当選フラグが設定された場合には、その設定のタイミングで、図２９（ｂ）に示すように「ビッグボーナス」の文字と所定のキャラクタとが表示される。」（段落【０１９１】）
　
４．引用例１記載の発明の認定
　引用例１の記載カには「ビッグボーナス、レギュラーボーナス」と、記載ク等には「ビッグボーナス当選フラグあるいはボーナス当選フラグ」とあり、用語が統一されていない。後者の「ボーナス」は「ビッグボーナス」と対比されているので、前者の「レギュラーボーナス」と同義と解する。以下では、ビッグボーナスをＢＢとレギュラーボーナスをＲＢと略記する。
　記載ア〜セを含む引用例１の全記載及び図示によれば、引用例１には次のような発明が記載されていると認めることができる。
「左可変表示部、中可変表示部、右可変表示部、スタートレバー、左停止ボタン、中停止ボタン、右停止ボタン及び画像表示部を備え、スタートレバーの操作により各可変表示部の可変表示が開始し、各停止ボタンの押圧操作により対応する可変表示部の可変表示が停止し、該可変表示装置の表示結果が所定の表示態様となった場合に所定の入賞が発生するスロットマシンであって、
　ランダムＲカウンタが発生する乱数を抽出し、該乱数に基づきＢＢ、ＲＢ、リプレイゲーム又は小役に当選したかどうかを決定し、各当選フラグが設定されるとリール引込み制御が行なわれ、
　各可変表示部は、ＢＢ又はＲＢの当選フラグが設定されている場合には、３０％の確率で各可変表示部が同時に可変開始し、５０％の確率で左可変表示部、中可変表示部、右可変表示部の順で始動し、２０％の確率で右可変表示部、中可変表示部、左可変表示部の順で可変開始する一方、ＢＢ又はＲＢ当選フラグが共に設定されていない場合には、９３％の確率で各可変表示部が同時に可変開始し、２％の確率で左可変表示部、中可変表示部、右可変表示部の順で可変開始始動し、５％の確率で右可変表示部、中可変表示部、左可変表示部の順で可変開始するように制御され、
　画像表示部には、リーチの成立やＢＢ当選フラグが設定されたことを表示するスロットマシン。」（以下「引用発明１」という。）
　
５．補正発明と引用発明１の一致点及び相違点の認定
　引用発明１の「左可変表示部、中可変表示部、右可変表示部」は補正発明の「複数の図柄を可変表示する複数の可変表示手段」に相当する。
　引用発明１における「スタートレバーの操作」及び「各停止ボタンの押圧操作」は、補正発明における「スタート操作」及び「停止ボタンの操作」と異ならず、引用発明１においては、これら操作を契機として各種制御がなされるのだから、引用発明１が「スタート操作により信号を発生する手段」及び「前記可変表示を停止するための停止ボタンの操作により信号を発生する手段」を備えることは明らかである。
　引用発明１が「前記複数の可変表示手段の可変表示開始から停止までのゲーム毎に所定の時点で決定される内部当選役に基づいて、可変表示を停止制御する停止制御手段」を備えるかどうか検討するに、引用発明１の「当選フラグ」が補正発明の「内部当選役」に相当することは明らかである。ところで、補正発明は上記のように特定しているところ、「可変表示開始から停止まで」を１回のゲームとして捉え、１回のゲームで１回の内部当選役決定することだけを特定し、「所定の時点」が１回のゲーム期間外であることを許容、すなわち「可変表示開始から停止まで」以外の時点であることを許容するのか、それとも「所定の時点」も「可変表示開始から停止まで」の時点でなければならないのか、請求項１の記載のみからは明らかでない。
　そこで、発明の詳細な説明を参酌するに、「図６のＳＴ１１に移り、確率抽選処理を行う。この確率抽選処理では、上記ＳＴ９の処理で抽出された乱数値をメインプログラムＲＯＭ４２に記憶されている入賞確率テーブルと照合することによりＢＢ、ＲＢ、各種小役のいずれかの内部当選役或いはハズレを決定する。」（段落【００７６】）、「続いて、「テーブル番号選択処理」を行う（ＳＴ１２）。」（段落【００７６】）及び「ＳＴ１２の処理後、リール３Ｌ，３Ｃ，３Ｒの回転駆動を開始する。」（段落【００８３】）との各記載があり、確率抽選処理（この時点が内部当選役を決定する「所定の時点」である。）は、可変表示開始前、すなわちゲーム期間外にされているから、補正発明は「所定の時点」がゲーム期間内であることまで限定していないと解する。そうであれば、内部当選役決定の「所定の時点」に関して、補正発明と引用発明１は一致しており、引用発明１において「各当選フラグが設定されるとリール引込み制御が行な」うことと補正発明において「内部当選役に基づいて、可変表示を停止制御する」ことにも相違がないから、結局のところ、引用発明１は補正発明の「停止制御手段」を備える。
　引用発明１の「画像表示部」は「左可変表示部、中可変表示部、右可変表示部」とは別の表示部であり、これは補正発明の「別表示手段」に相当する。
　そして、「スロットマシン」（引用発明１）が「遊技機」（補正発明）の１つであることはいうまでもない。
　したがって、補正発明と引用発明１は、
「スタート操作により信号を発生する手段と、
　前記スタート操作に応じて複数の図柄を可変表示する複数の可変表示手段と、
　前記可変表示を停止するための停止ボタンの操作により信号を発生する手段と、
　前記複数の可変表示手段の可変表示開始から停止までのゲーム毎に所定の時点で決定される内部当選役に基づいて、可変表示を停止制御する停止制御手段と、
　前記複数の可変表示手段とは別の表示を行う別表示手段とを備えた遊技機。」である点で一致し、以下の各点で相違する。
〈相違点１〉補正発明が「前記別表示手段に表示される内容は、遊技者の選択により変更可能に構成され、その選択するための表示内容選択手段」を設けたのに対し、引用発明１には「表示内容選択手段」が設けられていない点。
〈相違点２〉補正発明が、「前記スタート操作により発生した信号及び前記停止ボタンの操作により発生した信号の少なくともいずれか１つを検出した場合に前記別表示手段に表示され」かつ「前記表示内容選択手段による遊技者の選択に基づいて前記別表示手段に表示される内容は、スタート操作により発生した信号を検出した場合に表示される予兆表示、前記停止ボタンの操作により発生した信号を検出した場合に表示される可変表示手段回転中表示、前記複数の可変表示手段の全てが停止したことにより発生した信号を検出した場合に表示される全停止後表示を含む」と限定しているのに対し、引用発明１の「画像表示部」に表示されるのは、「リーチの成立やＢＢ当選フラグが設定されたこと」である点。
　
６．相違点の判断及び補正発明の独立特許要件の判断
（１）相違点１について
　原査定の拒絶の理由に引用された特開平１０−２４４０４５号公報（以下「引用例２」という。）には、「パチンコ機の中には、図柄変動が所定時間行われない場合（すなわち、所定時間遊技が行われない場合や、普通電動役物に遊技球が入賞しない等、所定条件が充足されない場合）には、遊技者が退屈しないように、図柄表示部において演出表示（デモンストレーション画面、たとえば、キャラクターがゴルフをする動画）が行われるものもある。」（段落【０００２】）、「遊技機は、図柄表示部が３種類の演出表示を切替実行するものに限定されず、２種類の演出表示を切替実行するものや、４種類、５種類の演出表示を切替実行するものであっても良い。さらに、演出表示の内容も、キャラクターがゴルフ、野球、サッカーをする動画に限定されず、自由に設定することができる。」（段落【００３４】）、「遊技機は、演出図柄切替スイッチが設けられており、遊技者等がその演出図柄切替スイッチを操作することにより演出図柄を切り替えられるものであっても良い。かかる構成を採用した場合には、遊技機は、遊技者が演出表示を随時選択することができるものとなり、より趣向性が高いものとなる。」（段落【００３６】）及び「上記各実施形態においては、本発明の遊技機を第１種のパチンコ機として用いた一例について説明したが、本発明の遊技機は、第３種のパチンコ機等の別型式のパチンコ機、スロットマシーン、あるいはテレビゲーム等として用いることも可能である。」（段落【００３７】）との各記載がある。
　複数の図柄を可変表示し、その表示結果に応じて遊技者に利益を与えることはスロットマシンとパチンコ機に共通するものの、引用例２記載の演出表示はデモンストレーション画面であり、可変表示に関連した表示を行うわけではないから、表示内容において引用発明１における「リーチの成立やＢＢ当選フラグが設定されたこと」とは異なる。
　しかし、「遊技者が演出表示を随時選択することができるものとなり、より趣向性が高いものとなる。」（引用例２の段落【００３６】）との作用効果は、単なるデモンストレーション画面だけでなく、可変表示に関連した表示にも共通することが明らかであるから、引用発明１の表示内容を遊技者が選択可能とすること、そのために、予め複数の選択肢を有する表示内容を定め、その１つをデフォルトの表示内容とした上で、「遊技者の選択により変更可能に構成され、その選択するための表示内容選択手段」を設けること、すなわち相違点１に係る補正発明の構成を採用することは当業者にとって想到容易である。
　
（２）相違点２について
　引用発明１では、画像表示部にリーチの成立やＢＢ当選フラグが設定されたことを表示するのであるが、それ以外にもＢＢ又はＲＢ当選フラグ設定を、各可変表示部の可変開始順序によっても報知しており、本件出願当時には当選フラグ設定（特にＢＢ又はＲＢについて）をさまざまな時点において、さまざまな手法により報知することが周知である。
　実際、本件出願前に請求人（又はその関連企業）が製造販売したスロットマシンであるサンダーＶ，バーサス及びハナビ（これらの販売開始時期は、平成９年１２月〜平成１０年７月である。）においては、スタート操作時の予告音、各リール（可変表示手段）停止時のリール消灯及び全リール停止後のフラッシュパターンによりフラグ報知を行っており（例えば、「パチスロ必勝本ＳＰＥＣＩＡＬ　ｖｏｌ．１」（平成１０年９月１０日　辰巳出版株式会社発行）３６〜６５頁にサンダーＶの紹介記事が掲載されており、４３頁下段に「完全網羅！！解析から判明したチャンスパターンの全て！」と題する表が示されているほか、多くの攻略本に同様の記事が掲載されている。）、スタート操作により発生した信号を検出した場合の予兆報知、停止ボタンの操作により発生した信号を検出した場合の可変表示手段回転中報知及び複数の可変表示手段の全てが停止したことにより発生した信号を検出した場合の全停止後報知は、本件出願当時の周知技術と認める。
　そして、引用発明１では、画像表示部においてＢＢ当選フラグを表示するだから、上記周知のスタート操作時、各可変表示手段停止時及び全可変表示手段停止後のフラグ報知を、画像表示部において行えない理由はない。現実に、本件出願前に頒布された特開２０００−７０４３７号公報には、「各遊技開始音１，２が発生するタイミングは図６（ａ）に示され、同図（ｅ）に示す入賞態様抽選タイミング直後から時間ｔ１の間出力される。」（段落【００３４】）、「ランプ駆動回路４８、バックランプ５７ａ〜５７ｃおよびマイコン３０は、各停止ボタン１６〜１８の操作によって各リール３〜５の回転表示が停止されるのに連動し、４種類の表示態様の中の１つの表示態様で各リール３〜５の表示を順次演出する連動演出手段を構成している。この連動演出手段によって演出される表示態様は、入賞態様の種類に応じて後述するように選択される。」（段落【００３５】）、「ランプ駆動回路４８、バックランプ５７ａ〜５７ｃおよびマイコン３０は、各リール３〜５の回転表示の全てが停止したときに、１０種類の表示態様の中の１つの表示態様で各リール３〜５の表示を演出する停止演出手段をも構成している。この停止演出手段によって演出される表示態様は、入賞態様の種類に応じて後述するように選択される。」（段落【００４３】）、「リールバックランプ等の表示態様の演出組合せによって予兆報知を行う代わりに、液晶表示部２４にキャラクタ等を登場させ、このキャラクタ表示の変化の組合せによって予兆報知を行ったり、その背景画像表示の変化の組合せによって予兆報知を行ってもよい。そして、この液晶表示部２４の表示を予兆報知と異なる特定の態様で表示させて告知手段の告知をするようにしてもよい。」（段落【０１２０】）があり、他の手段による報知を液晶表示部（引用発明１の「画像表示部」は液晶表示部ではないが、機能的に同等である。）の表示に代替えすることが記載されている。
　そうであれば、引用発明１を出発点として「前記別表示手段に表示される内容は、スタート操作により発生した信号を検出した場合に表示される予兆表示、前記停止ボタンの操作により発生した信号を検出した場合に表示される可変表示手段回転中表示、前記複数の可変表示手段の全てが停止したことにより発生した信号を検出した場合に表示される全停止後表示を含む」との事項を採用することは当業者にとって想到容易である。
　ここで、補正発明の「前記スタート操作により発生した信号及び前記停止ボタンの操作により発生した信号の少なくともいずれか１つを検出した場合に前記別表示手段に表示され」との事項について検討するに、「停止ボタンの操作」が複数回あることから、「少なくともいずれか１つ」が「複数回の停止ボタンの操作により発生した信号の少なくともいずれか１つ」の意味であるのか、「スタート操作により発生した信号」と「停止ボタンの操作により発生した信号」のうちの「少なくともいずれか１つ」であるのか明らかではないものの、「スタート操作により発生した信号」を検出した場合、複数回の「停止ボタンの操作により発生した信号」を検出した場合のすべての場合に別表示手段に表示すれば、この要件を満たすことは明らかであり、引用発明１の画像表示部にて上記周知技術の報知を行えば、この要件を満たすことになる。
　そして、相違点１に係る補正発明の構成を採用した場合には、当然表示内容は遊技者の選択により変更されるから、別表示手段に表示につき「前記スタート操作により発生した信号及び前記停止ボタンの操作により発生した信号の少なくともいずれか１つを検出した場合に前記別表示手段に表示され」ること及び「前記表示内容選択手段による遊技者の選択に基づいて前記別表示手段に表示される内容」が「スタート操作により発生した信号を検出した場合に表示される予兆表示、前記停止ボタンの操作により発生した信号を検出した場合に表示される可変表示手段回転中表示、前記複数の可変表示手段の全てが停止したことにより発生した信号を検出した場合に表示される全停止後表示を含む」ことは当然の帰結である。
　以上のとおりであるから、相違点２に係る補正発明の構成を採用することも当業者にとって想到容易である。
　
（３）補正発明の独立特許要件の判断
　相違点１，２に係る補正発明の構成を採用することは当業者にとって想到容易であり、これら構成を採用したことによる格別の作用効果を認めることもできない。
　したがって、補正発明は引用発明１、引用例２記載の技術及び周知技術に基づいて当業者が容易に発明をすることができたものであるから、特許法２９条２項の規定により特許出願の際独立して特許を受けることができない。
　
［補正の却下の決定のむすび］
　以上のとおり、本件補正は平成１８年改正前特許法１７条の２第５項で準用する同法１２６条５項の規定に違反しているから、同法１５９条１項で読み替えて準用する同法５３条１項の規定により却下されなければならない。
　よって、補正の却下の決定の結論のとおり決定する。
　
第３　本件審判請求についての判断
１．本願発明の認定
　本件補正が却下されたから、本願の請求項１に係る発明（以下「本願発明」という。）は、平成１７年８月９日付けで補正された明細書の特許請求の範囲【請求項１】に記載された事項によって特定される次のとおりのものと認める。
「スタート操作により信号を発生する手段と、
　前記スタート操作に応じて複数の図柄を可変表示する可変表示手段と、
　前記可変表示を停止するための停止ボタンの操作により信号を発生する手段と、
　該可変表示手段の可変表示開始から停止までのゲーム毎に所定の時点で決定される内部当選役に基づいて、可変表示を停止制御する停止制御手段と、
　前記可変表示手段とは別の表示を行う別表示手段とを備えた遊技機において、
　前記スタート操作により発生した信号及び前記停止ボタンの操作により発生した信号の少なくともいずれか１つを検出した場合に前記別表示手段に表示される内容は、遊技者の選択により変更可能に構成され、その選択するための表示内容選択手段を設けたことを特徴とする遊技機。」
　
２．本願発明と引用発明１との一致点及び相違点の認定
　「第２［理由］５」で述べたことを踏まえると、本願発明と引用発明１との一致点及び相違点は次のとおりである。
〈一致点〉「スタート操作により信号を発生する手段と、
　前記スタート操作に応じて複数の図柄を可変表示する複数の可変表示手段と、
　前記可変表示を停止するための停止ボタンの操作により信号を発生する手段と、
　前記複数の可変表示手段の可変表示開始から停止までのゲーム毎に所定の時点で決定される内部当選役に基づいて、可変表示を停止制御する停止制御手段と、
　前記複数の可変表示手段とは別の表示を行う別表示手段とを備えた遊技機。」
〈相違点〉本願発明が「前記スタート操作により発生した信号及び前記停止ボタンの操作により発生した信号の少なくともいずれか１つを検出した場合に前記別表示手段に表示される内容は、遊技者の選択により変更可能に構成され、その選択するための表示内容選択手段を設けた」としているのに対し、引用発明１には「表示内容選択手段」が設けられておらず、「画像表示部」に表示されるのは、「リーチの成立やＢＢ当選フラグが設定されたこと」である点。
　
３．相違点の判断及び本願発明の進歩性の判断
　「第２［理由］６（１）」で説示したとおり、「別表示手段に表示される内容」を「遊技者の選択により変更可能に構成」すること、及び「その選択するための表示内容選択手段」を設けることは当業者にとって想到容易である。
　残る検討事項は、遊技者の選択により変更可能とされる表示内容を「前記スタート操作により発生した信号及び前記停止ボタンの操作により発生した信号の少なくともいずれか１つを検出した場合に前記別表示手段に表示される内容」とすることの容易性である。
　「第２［理由］６（２）」で述べたように、本願発明の構成における「少なくともいずれか１つ」が「複数回の停止ボタンの操作により発生した信号の少なくともいずれか１つ」の意味であるのか、「スタート操作により発生した信号」と「停止ボタンの操作により発生した信号」のうちの「少なくともいずれか１つ」であるのか明らかではない。
　後者であるとすれば、「スタート操作により発生した信号を検出した場合に前記別表示手段に表示」すれば十分である。引用発明１では、ＢＢ当選フラグが設定されたことを画像表示部に表示しており、この時期を「スタート操作により発生した信号を検出した場合」とすることは設計事項というよりなく、この表示内容を「遊技者の選択により変更可能」とすることにも何の困難性もない。
　前者であるとすれば、「第２［理由］６（２）」で述べたように、スタート操作により発生した信号を検出した場合、及び各停止ボタンの操作により発生した信号を検出した場合に、当選フラグを報知することは周知であるから、この周知技術を採用し、その際の報知を画像表示部での表示により行うことに困難性はなく、それらの場合における表示内容を「遊技者の選択により変更可能」とすることにも何の困難性もない。
　以上のとおり、「前記スタート操作により発生した信号及び前記停止ボタンの操作により発生した信号の少なくともいずれか１つを検出した場合」をどのように解釈しても、相違点に係る本願発明の構成を採用することは当業者にとって想到容易であり、そのことによる格別の作用効果を認めることもできない。
　したがって、本願発明は引用発明１、引用例２記載の技術（及び周知技術）に基づいて当業者が容易に発明をすることができたものであるから、特許法２９条２項の規定により特許を受けることができない。
　
第４　むすび
　本件補正は却下されなければならず、本願発明が特許を受けることができない以上、本願のその余の請求項に係る発明について検討するまでもなく、本願は拒絶を免れない。
　よって、結論のとおり審決する。